(57)【要約】      （修正有）【課題】ゴルフティーを受けるための少なくとも一つの貫通孔が設けられた、細長いゴルフショット位置合わせ部材は、その長手方向に当該位置合わせ部材を折り畳みまたは巻き取りを可能とする柔軟性があるように構成されているゴルフ補助具を提供する。【解決手段】ゴルフ補助具１０は、ゴルフティーを受けるための少なくとも一つの貫通孔１６が設けられた、細長いゴルフショット位置合わせ部材１２を備えている。このゴルフ補助具は、ボールを見下ろしたゴルファーに対して、当該ボールを飛ばすべき前記ラインの指示のために、クラブヘッド３２が当該ボールを正確にアドレスしていることが保証されている。【選択図】図１
0003159629.tif 000002
【実用新案登録請求の範囲】
【請求項１】
ゴルフティーを受けるための少なくとも一つの貫通孔が設けられた、細長いゴルフショット位置合わせ部材を備え、当該位置合わせ部材は、その長手方向に当該位置合わせ部材を折り畳みまたは巻き取りを可能とする柔軟性があるように構成されている、ゴルフ補助具。
【請求項２】
ゴルフティーを受けるための少なくとも一つの貫通孔が設けられた細長いゴルフショット位置合わせ部材を備え、当該位置合わせ部材は、例えば、その貫通孔または少なくとも一つの前記貫通孔が、前記貫通孔よりも大きな直径を有するゴルフティーのカップを力で越えさせることを可能とするような柔軟性があるように構成されている、ゴルフ補助具。
【請求項３】
前記位置合わせ部材は、当該位置合わせ部材の縦に延びる中央線に沿って延びている直線軌道を指し示すマーキングが設けられている第一の主面と、当該位置合わせ部材の長手方向に延びる弓状軌道を指し示す少なくとも一つのマーキングが設けられている第二の主面と、を備えている、請求項１または２に記載のゴルフ補助具。
【請求項４】
弓状軌道を指し示す前記マーキングは、横方向に最も遠くに配置された当該弓状軌道の端から、前記位置合わせ部材の中央線に延びる縦方向に延び、加えて、当該中央線の横方向に近接して配置された位置であるとともに、当該位置に平行であるか、または、前記位置合わせ部材の端部領域に向かう前記中央線の上に延びるよう構成されている、請求項３に記載のゴルフ補助具。
【請求項５】
前記第一の主面に設けられる前記マーキングは、ゴルフショット強度を指し示すための、複数の間隔を有する指標から構成されている、請求項３に記載のゴルフ補助具。
【請求項６】
少なくとも一つの前記マーキングは、前記位置合わせ部材の色とは異なる色を有する材料で充填された、少なくとも一つの凹所として構成されている、請求項３に記載のゴルフ補助具。
【請求項７】
前記位置合わせ部材は、ゴルフボールガイドチャネルが縦方向に延びるように設けられている表面を有し、当該ゴルフボールガイドチャネルは、前記位置合わせ部材の前記表面に沿って移動するゴルフボールをガイドするためのものである、請求項１または２に記載のゴルフ補助具。
【請求項８】
前記チャネルの中央線に延びる縦方向に沿って延びているマーキングを備え、当該マーキングはゴルフショット強度を指し示す複数の間隔を有する指標を構成している、請求項７に記載のゴルフ補助。
【請求項９】
前記位置合わせ部材は、陥凹が形成された端を有し、当該陥凹は、パットショットを調整するためのゴルフボールに対向するものである、請求項１または２に記載のゴルフ補助具。
【請求項１０】
前記位置合わせ部材は、エラストマーで製造されている、請求項１または２に記載のゴルフ補助具。
【請求項１１】
ゴルフティーを受けるための少なくとも一つの貫通孔が設けられた、細長いゴルフショット位置合わせ部材を備え、当該位置合わせ部材は、
その長手方向において折り畳みまたは巻き取りを可能とする柔軟性があるように構成され、
その長手方向に延びる少なくとも一つの弓状軌道を指し示すマーキングが設けられた第一の主表面を有し、
その前記長手方向に延びるゴルフボールガイドチャネル、および、ゴルフショット強度を指し示すために当該チャネル上に設けられる、複数の間隔を有する指標が設けられた第二の主表面を有し、
その一方の端にゴルフボールを近接させて設置することを容易とするために、当該端に設けられた弓状陥凹を有する、ゴルフ補助具。
【考案の詳細な説明】
【技術分野】
【０００１】
本発明は、ゴルフ補助具に関する。
【背景技術】
【０００２】
ゴルファーがティーからボールを打つときには、クラブフェイスがボールを進ませようとする方向に対して垂直となる位置に適切に向かわせることが重要となる。そうでなければ、そのショットは、的外れのところにボールを送ることになる。ボールをアドレスするときに、プレーヤーは、通常、そのボールを目標エリアへ飛ばして落とすために、ラインに沿って目を向けることになる。プレーヤーは、下方に目を向けるとすぐに、目標エリアへのライン方向について記憶を頼りとしなければならない。このように、目標エリアおよびボールを飛ばすために必要な方向を見ることと、ボールおよびクラブフェイスを確かめることとの間では、常に妥協が図られる。
【考案の概要】
【課題を解決するための手段】
【０００３】
本発明は、ゴルフティーを受けるための少なくとも一つの貫通孔が設けられた、細長いゴルフショット位置合わせ部材（alignment member）を備え、当該位置合わせ部材は、その長手方向に当該位置合わせ部材を折り畳みまたは巻き取りを可能とする柔軟性があるように構成されている、ゴルフ補助具を提供するものである。
【０００４】
本発明は、また、ゴルフティーを受けるための少なくとも一つの貫通孔が設けられた細長いゴルフショット位置合わせ部材を備え、当該位置合わせ部材は、例えば、その貫通孔または少なくとも一つの前記貫通孔（the or at least one said through-hole）が、前記貫通孔よりも大きな直径を有するゴルフティーのカップを力で越えさせる（be forced over）ことを可能とするような柔軟性があるように構成されている、ゴルフ補助具を提供するものである。
【０００５】
本発明は、また、少なくとも一つの貫通孔が設けられている細長い本体であって、当該貫通孔が当該細長い本体における対向する主面の間に延びている、本体を備え、前記主面のうち第一の面は、前記細長い本体の中央線が延びる長手方向に沿って、直線軌道（straight path）を指し示すマーキングとして設けられ、前記主面のうち第二の面は、前記細長い本体の長手方向に延びる弓状軌道（arcuate path）を指し示す少なくとも一つのマーキングとして設けられている、ゴルフ補助具を含んでいる。
【０００６】
本発明は、また、ゴルフティーを受けるための少なくとも一つの貫通孔を有する細長いゴルフショット位置合わせ部材を備え、この位置合わせ部材には、当該位置合わせ部材に沿って移動するゴルフボールをガイドするためのゴルフボールガイドチャネル（channel）が、縦方向に延びるように設けられている、ゴルフ補助具を含んでいる。
【０００７】
本発明は、また、ゴルフティーを受けるための少なくとも一つの貫通孔が設けられた、細長いゴルフショット位置合わせ部材を備え、当該位置合わせ部材は、その長手方向において折り畳みまたは巻き取りを可能とする柔軟性があるように構成され、その長手方向に延びる少なくとも一つの弓状軌道を指し示すマーキングが設けられた第一の主表面を有し、その前記長手方向に延びるゴルフボールガイドチャネル、および、ゴルフショット強度を指し示すために当該チャネル上に設けられる、複数の間隔を有する指標（indicator）が設けられた第二の主表面を有し、その一方の端にゴルフボールを近接させて設置することを容易とするために、当該端に設けられた弓状陥凹を有する、ゴルフ補助具を含んでいる。
【０００８】
本発明をより理解するために、ほんの一例として提供される実施の形態は、次の図面を参照してここに説明される。
【図面の簡単な説明】
【０００９】
【図１】図１は、ゴルフボールおよびクラブヘッドも示している、ゴルフ補助具の模式的平面図である。
【図２】図２は、ゴルフティーも示すゴルフ補助具の模式的側面図である。
【図３】図３は、他のゴルフ補助具の平面図である。
【図４】図４は、図３のゴルフ補助具の反対側の平面図である。
【図５】図５は、図４のＶＶ線断面である。
【図６】図６は、さらに他のゴルフ補助具の斜視図である。
【図７】図７は、さらに他のゴルフ補助具の斜視図であり、当該ゴルフ補助具の第一の主表面を示している。
【図８】図８は、図７のゴルフ補助具の斜視図であって、当該ゴルフ補助具の第二の主表面を示している。
【図９】図９は、図７および図８のゴルフ補助具の端面図である。
【考案を実施するための形態】
【００１０】
図１および２を参照すれば、ゴルフ補助具１０は、一般的な平面の細長い位置合わせ部材１２を備えている。前記位置合わせ部材１２には、テーパリングノーズ１４が設けられている。少なくとも一つの貫通孔１６は、この例では３つであるが、前記位置合わせ部材１２に設けられている。前記貫通孔１６は、ゴルフティーを、前記位置合わせ部材１２を貫通して前記ゴルフ補助具の下となる地面に入れることを可能とする寸法となっているとともに、前記位置合わせ部材の縦軸に間隔を有する配置で並んでいる。前記位置合わせ部材１２における前記ノーズ１４の反対側の端は、弓状陥凹（arcuate recess）１８を形成している。前記ノーズ１４の頂点および前記弓状陥凹１８の最深点は、前記位置合わせ部材１２の縦軸上で実質的に一直線となっている。
【００１１】
前記ゴルフ補助具１０は、樹脂材料、金属または木材等のあらゆる好適な材料で製造することができる。前記ゴルフ補助具の少なくとも上面は、ゴムまたは同様の材料等のエラストマーで形成されていることが、現時点では好ましい。これは、ゴルファーが、下手なショットをしてしまい、前記ゴルフ補助具に当たったとしても、ゴルファーのゴルフクラブへの損傷、および／または、耳障りの可能性を少なくとも低減するためである。前記ゴルフ補助具１０のより好ましい実施の形態は、ゴムの一体成形により構成される。
【００１２】
使用においては、ゴルファーは、前記ゴルフ補助具１０の縦軸を、当該ゴルファーがボールを向かわせたいラインに調整（位置合わせ）し、そのラインに面してかがむことができる。ゴルフ補助具１０には、前記位置合わせプロセスを支援するリブ等の印または構造が設けられてもよい。そして、ゴルファーは、ゴルフ補助具１０を定位置に固定する（pin）ために、前記貫通孔１６の希望する一つを通してティー３０（図２）を押さえつける。ゴルファーは、他の前記貫通孔１６を通して第二のティー（図示せず）を押さえ付け、ボールを支持するティーとして用いるか、または、単純に、打つために前記ティー３０を用いればよい。
【００１３】
ゴルフ補助具１０がボールを飛ばすべく適切に前記ラインに位置合わせされていれば、ゴルファーが下を見たときには、当該ゴルファーは、クラブヘッド３２がボール３４を正確にアドレスしていることを確かなものとするために、前記位置合わせ部材１２が、飛ばすための望ましい方向の指示を提示させていることが理解されるだろう。それゆえゴルファーは、クラブヘッド３２の面３６が、ボールを飛ばすべき前記ラインに確かに適応しているように支援されている。
【００１４】
ゴルフ補助具１０は、また、グリーン上のゴルファーを支援するために用いることができる。この目的であれば、ゴルファーは、前記陥凹１８をボールのちょうど後ろに置くとともに（例えば、ボールが、ホールとゴルフ補助具の間であるため）、位置合わせ部材１２をホールへ位置合わせする。そして、ゴルファーがボールをアドレスしたときに、当該ゴルファーは、前記位置合わせ部材１２の方向性を参照することによって、パターの面がホールへのラインに適応することを確実とすることが可能となる。ボールに対してパターの軌道を妨げるといけないので、前記位置合わせ部材は、地面上で直線に位置するために十分に堅く重いものであるものの、可能な限り薄く製造されるべきであることが理解されるだろう。
【００１５】
図３から図５は、ゴルフ補助具１０のそれと同じか同等の多くの特徴を有する、他のゴルフ補助具１１０を示している。説明の繰り返しを避けるために、このような特徴は１００を増分した同じ参照数字によって示し、前記ゴルフ補助具１０から異なる特徴のみ、詳細に説明するものとする。
【００１６】
ゴルフ補助具１１０は、実質的に平面の位置合わせ部材１１２を備えている。前記位置合わせ部材１１２は、ライン１４６，１４８の間に規定される平坦中央部を有し、これら２つのラインの間の部位は一般的に長方形である。位置合わせ部材１１２は、前記ライン１４６，１４８から当該位置合わせ部材１１２のそれぞれの長さに延びる縁に向かって外側にテーパ（先細り）となっている。このテーパは、平坦または弓状となっていればよい。
【００１７】
図３は、ドライビング時（when driving）にゴルファーを支援するように構成されるゴルフ補助具１１０の主表面または面を示し、図４は、パット時に（when putting）ゴルファーを支援するように構成されるゴルフ補助具の反対側の主表面または面を示している。
【００１８】
図３を参照すれば、ドライビング時に支援するよう構成されている前記位置合わせ部材１１２の面には、弓状マーカー（arcuate marker）１５０，１５２が設けられている。前記マーカー１５０，１５２は、前記位置合わせ部材１１２の縦中央線に対向する側で配置されている。前記マーカー１５０は右利きのゴルファーによって用いられるもので、前記マーカー１５２は左利きのゴルファーによって用いられるものである。前記マーカー１５０は、前記位置合わせ部材１１２におけるノーズ１１４に近接する端部領域に配される第一終点１５４を有している。前記マーカー１５０は、軸方向において、この第一終点１５４から、貫通孔１５６へ前記位置合わせ部材の内部に向いて曲がっている。貫通孔１５６の領域においては、前記マーカー１５０は、前記位置合わせ部材１１２の縦中央線の上または縦中央線に近接して配される。第二終点１５８は、前記位置合わせ部材において前記ノーズ１１４から遠隔した端の領域に配されるものであり、前記マーカーは、前記縦中央線の上または近接した位置から、軸方向において、前記第二終点１５８に向かって、前記位置合わせ部材１１２の外部に向いて曲がっている。この実施の形態では、前記マーカー１５０が有する第二終点１５８は、前記位置合わせ部材１１２の終端となる位置となっている。しかしながら、これは本質的な構成ではない。前記マーカーは、前記貫通孔１５６に位置するティー（図示せず）上に位置するボールを、ドライビングにおいてのゴルフクラブのスウィングにおける正確な弧を指し示すことを意味するものである。前記マーカー１５０の終点１５４，１５８は、前記部材の長さ、および、その端部に対する前記貫通孔１５６の位置次第では、前記位置合わせ部材１１２の２つの端から近い位置またはより遠くに配されてもよい。前記マーカー１５２は、前記マーカー１５０の鏡像となっている。
【００１９】
この実施の形態では、前記マーカー１５０，１５２は、前記位置合わせ部材１１２における個別の溝（groove）を形成し、位置合わせ部材を製造するための材料とは色が異なる材料を充填することで得られる。前記マーカー１５０，１５２は、同じ色であってもよいし、望ましくは異なる色であってもよい。
【００２０】
前記マーカー１５０，１５２に加えて、前記位置合わせ部材１１２には、前記貫通孔１５６に近接して配置されるマーカー１６０が設けられてもよい。このマーカー１６０は、前記位置合わせ部材１１２の縦軸に対して垂直に配置されている。
【００２１】
図４を参照すれば、前記マーカー１５０，１５２の代わりに、前記位置合わせ部材１１２のパット時を支援するために構成される面は、前記位置合わせ部材１１２の縦中央線に沿って延びるマーカー１６２を有している。このマーカー１６２は、前記マーカー１５０，１５２と同様に連続的な線であってもよいし、図示された実施の形態のように、不連続の線であってもよい。前記マーカー１６２は、前記マーカー１５０，１５２と同様に、異なる色の材料を充填した単一の溝または複数の溝によって規定されてもよい。前記位置合わせ部材のこの面には、前記位置合わせ部材において、前記ノーズ１１４から遠隔した端に配置される前記貫通孔１１６に近接して配置されるさらなるマーカー１６４が設けられている。このマーカー１６４は、前記位置合わせ部材１１２の縦軸に対して垂直に延びている。
【００２２】
前記ゴルフ補助具１０と同様に、この位置合わせ部材１１２における前記ノーズ１１４の反対側の端には、弓状陥凹１６６が設けられている。図５に最もよく見られるように、前記弓状陥凹１６６は、前記マーカー１５０，１５２が設けられた面から前記マーカー１６２が設けられた面に向かって、前記位置合わせ部材の内部に放射形状を有している（be radiussed）。図５に示すように、前記弓状陥凹１６６の放射形状の形成（radiussing）は、パットを支援するためのゴルフ補助具の使用時に、ゴルフボール１６８に対して前記陥凹を差し出すことを促進している。
【００２３】
前記貫通孔１５６は、前記貫通孔１１６よりも大きな直径となっている。当業者は、ドライビング範囲に用いられるティーの形状をよく知っているであろう。基本的に、このようなティーは、ゴム材料またはゴムと同様の特性を持つ材料で製造され、ドライビングが行われるマットに設けられるホールに対応するように構成される。前記貫通孔１５６がこのような寸法であるのは、ゴルフ補助具１１０は、前記マット上に平らに横たえられるために、前記ティーのヘッドを避けるように、このようなティーの上において、下に押されることができるためである。この目的では、前記貫通孔１５６は、ゴルファーが過度の力を用いざるを得ないことがないように変形させることで、前記ティーのヘッドが当該貫通孔１５６を貫通することができるために、十分な大きさが必要である。同時に、前記貫通孔１５６は、前記ティーの細長い部分（stem）上にとてもゆるく適合するほどの大きさであるべきでない。前記貫通孔１５６の最適な直径は経験的に決定できることが理解されるであろう。
【００２４】
ドライビング時にゴルフ補助具１１０を用いるにあたっては、ゴルファーは、前記マーカー１５０，１５２が設けられている面が上向きに面するとともに、前記ノーズ１１４がボールを飛ばすべき方向に向いている状態で、所定の位置となっている当該ゴルフ補助具を固定する。ティーが前記貫通孔１５６を貫通して準備されれば、ゴルファーは、クラブの面がボールを正確にアドレスしている（図１におけるクラブヘッド３２およびボール３４を参照）ことを決定するために、前記マーカー１６０を用いることができる。前記マーカー１６０は、前記クラブの面は、前記クラブがボールを打ったときに当該ボールを飛ばすべき方向に実質的に垂直となるよう決定することが、ゴルファーにとって簡単としている。マーカー１５０，１５２（ゴルファーが左利きまたは右利きのいずれであろうとも）を用いることは、ゴルファーがクラブの弧を通じて正確なスウィングを確かなものとすることを可能とする。
【００２５】
パット時にゴルフ補助具１１０を用いれば、当該ゴルフ補助具は、前記マーカー１６２が設けられている面を下にするとともに、前記マーカー１６２がボールを飛ばすべき方向（あるいは、少なくともボールが飛ぶ最初の方向）に位置合わせされるように、前記弓状陥凹１６６がボールに対して位置する状態で横たえられる。それから、ゴルファーは、パターのヘッドが正面からボールをアドレスすることを確実とするとともに、前記マーカー１６２は、ショットを行うときにパターがボールを直線となるように飛ばすことを確実とするために、前記マーカー１６４を用いることができる。このような実施の形態においては、図３に示されるように、前記マーカー１６２は複数の間隔を有する要素を構成し、ゴルファーは、ショットの強度を判断するために、このマーカー要素を用いることができることが理解されるであろう。例えば、もしボール１６８が弓状陥凹１６６内に受け入れられ、かつ、パターヘッドがマーカー要素の異なるそれぞれにおいて開始されれば、ゴルファーは、パターヘッドでのショットを、ボールからの異なった距離で開始させることによって得られる、当該ショット強度の認識を得ることができる。
【００２６】
前記ゴルフ補助具１１０が、ドライビングおよびパット中の支援に提供され得るように構成されていることが都合よいものの、これが本質的でないことは理解されるであろう。むしろ、前記ゴルフ補助具は、ドライビングおよびパットの一つをちょうど支援するために適しているマーカーを設けることができ、例えば、ゴルフ補助具１１０は、ドライビング時を支援するために構成される前記組の一つと、パット時を支援するために構成される他の組の一つとで構成される、別の組を提供することができる。
【００２７】
ゴルフ補助具１１０は、位置合わせ部材１１２の主表面に溝を形成して異なる色の材料を充填することでマーカーを設けている。これは本質的でない。前記溝は、例えば、空のままでもよい。代わりに、前記マーカー（の少なくともいずれか）は、前記位置合わせ部材１１２の表面に印刷されるか、そうでなければ描かれたりしてもよいし、あるいは、畝として形成されてもよい。
【００２８】
前記貫通孔１５６は、必要に応じて、前記マーカー１５０，１５２が設けられているゴルフ補助具１１０の面に、面取り（chamfer）されて設けられる。この面取りは、ゴルフボールの一部を受けるように構成されるものであって、ゴルファーがフェアウェイからのドライビング時にゴルフ補助具１１０を使用することを可能とする。加えて、あるいは代わりに、前記貫通孔１５６は、前記マーカー１６２を設ける前記ゴルフ補助具の面に面取りされてもよい。このような面取りは、ドライビング範囲でティーの上においてゴルフ補助具１１０の適応を支援する導入部（lead-in）を提供するよう構成することができる。
【００２９】
図６は、さらに他のゴルフ補助具２１０を示している。このゴルフ補助具２１０は、前記ゴルフ補助具１１０と同様の方法で、ドライビング時にゴルファーを支援するために構成される面を有している。繰り返しの説明を避けるために、前記ゴルフ補助具１１０の特徴と同じまた同様の特徴は、１００を増分した同じ参照数字によって示すものとする。
【００３０】
この実施の形態では、マーカー２５０，２５２は、位置合わせ部材２１２の表面における刻み目（indent）の形状となっており、この刻み目には、前記位置合わせ部材を製造する材料の色とは異なる色を有する材料が充填されている。前記マーカー１５０，１５２と前記マーカー２５０，２５２との間の違いは、後者が、クラブのスウィング用の正確な弧を形成するために不連続な線を形成している点にあることが理解されるであろう。
【００３１】
貫通孔１５６と同様に、貫通孔２５６は、ドライビング範囲で用いられるタイプのティーの上へ前記ゴルフ補助具２１０を強制する（forced onto a tee）ことを可能とするために、選択された直径となっている。この実施の形態では、位置合わせ部材２１２は前記位置合わせ部材１１２よりも相対的に狭くなっているとともに、適切な大きさの貫通孔２５６の提供を可能とするために、膨れ２７０が前記位置合わせ部材に設けられている。この膨れ２７０は、前記ゴルフ補助具がティーを力で越えさせる（forced over a tee）ときに破損を避けるために、前記貫通孔２５６が前記位置合わせ部材２１２の縁に延びる縦方向から十分に間隔を開けたものとなるような大きさを有している。前記膨れ２７０の寸法設定（sizing）は経験的に決定されることが、当然のごとく理解されるであろう。この実施の形態では、図３から図５で示した実施の形態と比較すれば、潜在的に材料の節約を可能とし、かつ、このような節約は、前記ゴルフ補助具が大量に製造されたときに重要であることが理解されるであろう。
【００３２】
図示しないが、前記ゴルフ補助具２１０には、図４に示される前記マーカー１６２に類似するパット支援のためのマーカーが設けられてもよいことが、当然のごとく理解されるであろう。
【００３３】
図７から図９は、前記ゴルフ補助具１１０を、パターを補助するような前記ゴルフ補助具の使用を促進する構成にできる修飾を示している。前記ゴルフ補助具１１０の特徴と同じまたは同様である、図７から図９に示されるゴルフ補助具３１０の特徴についての説明の繰り返しを避けるために、同じ参照数字に２００を増分させたものを与えるものとする。
【００３４】
ゴルフ補助具３１０は、細長い位置合わせ部材３１２を備えている。前記位置合わせ部材３１２の第一端はテーパリングノーズ３１４として規定され、反対側の第二端は陥凹３６６として規定されている。図７に示される前記ゴルフ補助具３１０の主表面または面はドライビング時にゴルファーを支援するよう構成され、図８に示される主表面または面はパット時にゴルファーを支援するよう構成されている。図８および図９に示すように、前記位置合わせ部材３１２が、少なくともその長さの実質的に全てを通じて、一般的な弓状横断面を有するように、ドライビング時に支援するために構成される面は凸面であり、パット時に支援するために構成される面は凹面である。
【００３５】
図７を参照すれば、貫通孔３５６に位置しているティー（図示せず）上に位置するボールをドライビングする時には、ゴルフクラブのスウィングの正確な弧を指し示す前記マーカー３５０，３５２は、前記ゴルフクラブゴルフ補助具１１０と比較して修飾されている。この実施の形態では、前記マーカー３５０，３５２は、前記位置合わせ部材３１２の陥凹３６６が設けられる端に近接する位置で、それらの終点３５８が分離しているとともに、軸方向において、ノーズ３１４に向かって延びるように、内側に曲がっている。前記マーカー３５０，３５２は前記貫通孔３５６に届く前に合流し、マーカー３６０で終結する単一線３５７として、前記貫通孔に向かって継続している。前記単一線３５７の継続は、前記貫通孔３５６と前記ノーズ３１４に最も近接する前記貫通孔３１６との間にも設けられる。前記マーカー３５０，３５２の位置および湾曲は、例えば、前記貫通孔３５６に位置しているティー上に位置するボールを打つときのスウィングの正確な弧を指し示すため等に選択され、前記マーカー３５０，３５２が合流する点は、求める方向にボールを打つための直線上に飛ぶようにクラブヘッドを確かなものとするために、ゴルファーの体がツイストを開始するべき位置を描いている。前記マーカー３５０，３５２の位置および湾曲、および、それらが合流する点は前記位置合わせ部材３１２の長さによって決定されるとともに、その長さに沿って前記貫通孔３５６の位置が決定されることが理解されるであろう。
【００３６】
マーカー３５０，３５２の弧の修飾に加えて、ドライビング範囲マット上のティーの上で、前記ゴルフ補助具３１０が強制的に用いられるときに、当該ゴルフ補助具３１０への損傷を避けるように支援するために、前記貫通孔に近接する位置の前記位置合わせ部材３１２を補強するために、リム３５９が前記貫通孔３５６の周りに設けられている。また前記リム３５９は、フェアウェイからドライビングを支援するために前記ゴルフ補助具３１０を用いるときに、ゴルフボールの配置を支援するために、ゴルフボール用の座部として設けられるよう構成されている。
【００３７】
図８および９を参照すれば、パット時に補助するために構成されているゴルフ補助具３１０の面は、軸方向に延びるチャネル３６１を規定するために凹面となっている。このチャネル３６１は、前記ノーズ３１４から前記陥凹３６６まで延びている。前記チャネル３６１の中央線および最深点は、位置合わせ部材３１２の縦軸に一体となるように調整されている。
【００３８】
使用時には、ゴルファーがパットを支援するためにゴルフ補助具３１０を用いることを希望すれば、図５に示されるように、ゴルファーは、前記ゴルフ補助具１１０と同様の方法で用いることができる。代わりに、ボールが前記チャネル３６１に置かれてもよい。このケースでは、ゴルファーは、前記ホールとともに前記チャネルを調整するか、あるいは、グリーンのライ（lie）を考慮する（account for）よう方向づけるためのパットの方向を調整し、その次にボールがチャネル内で望まれた位置に置かれる。通常は、本質的でないが、ゴルファーは、前記貫通孔３５６にゴルフボールを置き、前記位置合わせ部材３１２のノーズ３１４に向かってパットするだろう。ゴルファーはそのパットを行ったときに、そのボールは、グリーン（putting green）上に乗る前に、前記チャネル３６１によって最初にガイドされる。これを前記マーカー３６２の間隔を有する成分によって提供されるショット強度指示と組み合わせれば、目標軌道を判断するとともに、ホールへボールを到達させるボールの速度（pace）に依存する（rely）技術を実行するときに、ゴルファーを支援するだろうと考えられる。
【００３９】
前記ゴルフボールガイドチャネルが前記位置合わせ部材の全長に沿って延びていることは、本質的でないと理解されるであろう。代わりに、当該チャネルは、前記端の中間の位置から当該端の一つへ延びてもよい。また、前記ガイドチャネルを規定するために、前記ゴルフ補助具の１つの面をへこませていることも本質的でないことが理解されるであろう。例えば、パットを支援するよう構成される前記ゴルフ補助具の面上で、ガイドチャネルが、対向した間隔を有する構成（opposed spaced apart formations）またはリブをもたらすことによって決定されてもよい。このケースでは、パット時を支援するよう構成される面は、凹面よりもむしろ平坦面であればよい。
【００４０】
説明された実施の形態のいずれにおいても、例えばゴム等のエラストマー、または同様の材料で製造されればよい。現状では、ゴルフ補助具は、例えば、３〜５ｍｍの範囲で相対的に薄く、また約４０〜８０ｍｍの長さを有すると好ましい。この形態であれば、ゴルファーが簡単に折り畳むか巻き取ることが可能であるように十分な柔軟性を有し、使用していないときに当該ゴルファーのポケットに入れておけるゴルフ補助具を提供することが明らかである。与えられた寸法は限定として解釈されるものではなく、柔軟性およびゴルファーにとっての保管の利便性をもたらす実施の形態の実例の一つであることが、当然のごとく理解されるであろう。
【００４１】
ティーはゴルフ補助具の一体部分として形成されてよいことが、理解されるであろう。
【００４２】
前記位置合わせ部材を地面へ固定するための１以上のゴルフティーを用いる代わりに、前記ゴルフ補助具には、当該ゴルフ補助具の分離した部分として提供されるか、または、その一部として形成されることができる、適切なピンが設けられてもよい。一体ピン４０についての適切な配置の一例は、図２における破線で示される。図示されるように一体ピンを有することは、前記位置合わせ部材を調整する前に、前記ゴルフ補助具を少なくとも部分的に固定するようにゴルファーを支援することができる。ゴム製ゴルフ補助具のケースでは、前記一体ピンは、より硬いプラスチック材料または金属で製造することができ、そして当該ゴルフ補助具はインサート成形で形成される。
【００４３】
新たな実施の形態を形成するために、図面で説明された異なる実施の形態の特徴は、互いの実施の形態の間で望むように、簡単に入れ換えられることができる、ということが理解されるであろう。
【００４４】
前記ゴルフ補助具の実施の形態は、ゲームにおいて２つの異なる見方が働いているゴルファーを支援でき、また、さらには、衣服類のポケットに保管可能とするために巻き取ったり折り畳んだりする利便性を提供できることが理解されるであろう。
【００４５】
前記ゴルフ補助具の実施の形態は、ゴルフティーを受ける少なくとも一つの貫通孔が設けられた細長い位置合わせ部材を備えている、ということが理解されるであろう。
【００４６】
前記ゴルフ補助具の実施の形態は、細長い位置合わせ部材がエラストマーで製造されるとともに、ゴルフボール指示部材を受けるための複数の開口が設けられ、それぞれの開口は、前記位置合わせ部材の縦軸に配置され、そして当該位置合わせ部材は、その先端部の前記縦軸におけるそれぞれの側辺が先細りとなる先端部を有している、ということが理解されるであろう。
【００４７】
前記ゴルフ補助具の実施の形態は、地面に固定可能な位置合わせ部材を備え、前記位置合わせ部材をゴルフショットのための標的に調整することができるようなゴルフボールサポートを協同可能（cooperable with）とし、前記位置合わせ部材でクラブフェイスを調整し、この位置合わせ部材は前記標的に適応される前記クラブフェイスで前記ショットをすることを支援するものである、ということが理解されるであろう。
【００４８】
前記ゴルフ補助具の実施の形態は、対向する主面の間に延びる少なくとも一つの貫通孔が設けられた細長い本体を備え、
前記主面の第一の面には、前記細長い本体の縦に延びる中央線に沿って延びている直線軌道を指し示すマーキングが設けられ、
前記主面の第二の面には、前記細長い本体の長手方向（縦方向、lengthways direction）に延びる弓状軌道を指し示すマーキングが設けられ、
前記細長い本体の端には、前記端がゴルフボールに対向して位置することが可能となるための弓状陥凹が設けられている、ということが理解されるであろう。
【図１】
0003159629.tif 000003
【図２】
0003159629.tif 000004
【図３】
0003159629.tif 000005
【図４】
0003159629.tif 000006
【図５】
0003159629.tif 000007
【図６】
0003159629.tif 000008
【図７】
0003159629.tif 000009
【図８】
0003159629.tif 000010
【図９】
0003159629.tif 000011